(57)【要約】【課題】支柱下方に設置されている他の装置に干渉せず、また壁際の支柱であっても放熱効率のよい移動体通信基地局アンテナ支柱に送受信装置を取り付ける取付金具を得る。【解決手段】取付金具１は、支柱２の外周の一部に当接するベースプレート８Ａを有するベース部８、ベース部から半径方向外方にかつ下方に曲げ出したスカート部９、およびベース部の左右の側端縁から側方に突出する１対の突耳部１０を有する第１ブラケット３と、第１ブラケット３とは支柱を挟んで直径方向反対側で支柱に当接する対向ブラケット４であって、少なくともベース部８および突耳部１０を有する該対向ブラケット４と、第１ブラケット３および対向ブラケット４の左右の突耳部１０相互を緊締し、両者を支柱に固着する緊締手段５とを備え、スカート部９の両側の端部には、それぞれ送受信装置６のコーナー部に当接してこの送受信装置６を固定する送受信装置固定手段７を設ける。【選択図】図１
0003135374.tif 000002
【実用新案登録請求の範囲】
【請求項１】
支柱に送信および／または受信装置を取り付ける取付金具において、
支柱の外周の一部に当接するベースプレートを有するベース部、前記支柱から離れる方向に前記ベース部から半径方向外方にかつ下方に曲げ出したスカート部、および前記ベース部の左右の側端縁から側方に突出する１対の突耳部を有する第１ブラケットと、
この第１ブラケットとは支柱を挟んで直径方向反対側で前記支柱に当接する対向ブラケットであって、少なくともベース部および突耳部を有する該対向ブラケットと、
前記第１ブラケットおよび対向ブラケットの左右の突耳部相互を緊締し、これら第１ブラケットおよび対向ブラケットを支柱に固着する緊締手段と
を備え、前記スカート部の両側の端部には、それぞれ送受信装置のコーナー部に当接してこの送受信装置を固定する送受信装置固定手段を設けた
ことを特徴とする取付金具。
【請求項２】
前記対向ブラケットを、前記第１ブラケットと同一のものとした請求項１記載の取付金具。
【請求項３】
前記ベース部は、ベースプレートと、このベースプレートの上端縁および下端縁に沿ってベース部の平面に直交するよう支柱から離れる方向に突設した上下１対のフランジとを有する構成とし、
前記スカート部は、前記フランジに設けた切欠きに挿入して前記ベース部に固着する直立部、およびこの直立部分に連続して支柱から離れる方向に突出する曲折部分を有する左右１対の管状部材と、これら１対の管状部材における曲折部分の端部相互を連結するよう、前記支柱から半径方向外方に離れて水平方向に延在する連結細条とにより構成した請求項１または２に記載の取付金具。
【請求項４】
前記スカート部を、前記ベースプレートに一体に形成した、もしくは別体にしてベースプレートに固着した一体ピースのプレートとして構成した請求項１〜３のうちいずれか一項に記載の記載の取付金具。
【請求項５】
前記管状部材を、矩形断面形状とした請求項４記載の取付金具。
【請求項６】
前記曲折部分を円弧形状とした請求項３〜５のうちいずれか一項に記載の取付金具。
【請求項７】
前記スカート部における送受信装置固定手段は、垂直方向に斜行してＺ字状に曲げ出し、Ｚ字の上下の曲折部に丸みを付けたＺ字状片と、このＺ字状片に設けた少なくとも１個のボルト挿通孔に挿通して送受信装置の頂面にねじ付けるボルト手段とにより構成した請求項１から６のうちいずれか一項に記載の
【請求項８】
前記支柱は、移動体通信基地局アンテナ支柱とした請求項１〜７のうちいずれか一項に記載の取付金具。
【考案の詳細な説明】
【技術分野】
【０００１】
本考案は、支柱に送信および／または受信装置を取り付ける取付金具、とくに、移動体通信基地局アンテナ支柱に送受信装置を取り付ける取付金具に関する。
【背景技術】
【０００２】
このような取付金具としては、アンテナ支柱を包囲するＣ字状の金属バンドであって、Ｃ字における遊端相互をボルト‐ナットで締め付けてアンテナ支柱に固定する金属バンドと、この金属バンドに固着する装柱金具、およびこの装柱金具に固着する送受信装置固定用プレートよりなる１対の取付金具を使用し、送受信装置の裏面で、上下１対を固定するものがある。（例えば、特許文献１参照。）
【特許文献１】特開２００５‐９４６６７号公報
【考案の開示】
【考案が解決しようとする課題】
【０００３】
しかし、従来のこのような取付金具の場合、アンテナ支柱下方に交換機ボックスを設置してあるような場合、アンテナ支柱の上方に送受信装置を設置しなければならなくなる。
さらに、従来の取付金具では、送受信装置がヒートシンクを有している場合、アンテナ支柱が壁際に設置してあると、冷却効率が悪くなるという欠点がある
【０００４】
したがって、本考案の課題は、アンテナ支柱下方に交換機ボックスが設置されていても、またアンテナ支柱が壁際に設置されていても、送受信装置の冷却効率を低下させることがない移動体通信基地局アンテナ支柱に送受信装置を取り付ける取付金具を得るにある。
さらに、本考案の課題は、移動体通信基地局アンテナ支柱ではなく、単なるポール（支柱）に取り付け、送受信装置ではなく、他の機器を固定するのにも利用できる取付金具を得るにある。
【課題を解決するための手段】
【０００５】
この課題を解決するため、本考案による支柱に送信および／または受信装置を取り付ける取付金具は、
支柱の外周の一部に当接するベースプレートを有するベース部、前記支柱から離れる方向に前記ベース部から半径方向外方にかつ下方に曲げ出したスカート部、および前記ベース部の左右の側端縁から側方に突出する１対の突耳部を有する第１ブラケットと、
この第１ブラケットとは支柱を挟んで直径方向反対側で前記支柱に当接する対向ブラケットであって、少なくともベース部および突耳部を有する該対向ブラケットと、
前記第１ブラケットおよび対向ブラケットの左右の突耳部相互を緊締し、これら第１ブラケットおよび対向ブラケットを支柱に固着する緊締手段と
を備え、前記スカート部の両側の端部には、それぞれ送受信装置のコーナー部に当接してこの送受信装置を固定する送受信装置固定手段を設けた
ことを特徴とする。
【考案の効果】
【０００６】
本考案によれば、送受信装置を固定する第１ブラケットは、支柱から離れる方向に前記ベース部から半径方向外方にかつ下方に曲げ出したスカート部を有しているため、支柱から離れるスカート部の端部に送信および／または受信装置を固定するため、支柱と送受信装置との間に隙間を生じて、支柱下部に何らかの装置、例えば、交換機ボックスが存在しても、これに干渉することはなく、また送信および／または受信装置におけるヒートシンクの冷却効率を低下することもなくなる。
【考案を実施するための最良の形態】
【０００７】
本考案の他の好適な実施形態においては、ベース部は、ベースプレートと、このベースプレートの上端縁および下端縁に沿ってベース部の平面に直交するよう支柱から離れる方向に突設した上下１対のフランジとにより構成し、スカート部は、フランジに設けた切欠きに挿入してベース部に固着する直立部分、およびこの直立部分に連続して支柱から離れる方向に突出する曲折部分を有する左右１対の管状部材と、これら１対の管状部材における曲折部分の端部相互を連結するよう、前記支柱から半径方向外方に離れて水平方向に延在する連結細条とにより構成する。
この場合、管状部材は矩形断面形状とすると好適である。さらに、曲折部分を円弧状にすると好適である。
【０００８】
本考案の好適な実施形態においては、対向ブラケットを、第１ブラケットと同一のものとする。また、スカート部は、前記ベースプレートに一体に形成した、もしくは別体にしてベースプレートに固着した一体ピースのプレートとして構成すると好適である。
【０００９】
本考案の好適な実施形態においては、スカート部における送受信装置固定手段は、垂直方向に斜行してＺ字状に曲げ出し、Ｚ字の上下の曲折部に丸みを付けたＺ字状片と、このＺ字状片に設けた少なくとも１個のボルト挿通孔に挿通して送受信装置の頂面にねじ付けるボルト手段とにより構成する。
【００１０】
つぎに、図面につき本考案の好適な実施例を説明する。
【実施例１】
【００１１】
図１に、本考案取付金具１の好適な実施例を、移動体通信基地局のアンテナ支柱２に取り付けた状態を示す斜視図であり、アンテナ支柱２は、上方部分を切除して示す。
【００１２】
本考案による取付金具１は、第１ブラケット３と、第１ブラケット３とはアンテナ支柱２を挟んで直径方向反対側でアンテナ支柱２に当接する対向ブラケット４と、第１ブラケット３および対向ブラケット４の左右の突耳部相互を緊締し、これら第１ブラケット３および対向ブラケット４を支柱に固着する緊締手段５と、により構成する。スカート部の両側の端部には、それぞれ送受信装置６のコーナー部に当接してこの送受信装置６を固定する送受信装置固定手段７を設ける。
【００１３】
第１ブラケット３は、アンテナ支柱２の外周の一部に当接するベース部８と、アンテナ支柱２から離れる方向に、ベース部８から半径方向外方にかつ下方に曲げ出したスカート部９と、およびベース部６の左右の側端縁から側方に突出する１対の突耳部１０とを有する。
【００１４】
図示の実施例では、このベース部８は、山形に折り曲げたベースプレート８Ａと、このベースプレート８Ａの上端縁および下端縁からベースプレートの平面に対して直交する方向に曲げ出した上下１対のフランジ８Ｂとを有し、１対の突耳部１０は、ベースプレート８Ａの左右の側端縁から側方に突出するものとする。ベースプレート８Ａは、図示の実施例のように山形形状ではなく、代案として、円弧状とすることもできる。
【００１５】
さらに、図示の実施例では、スカート部９を、フランジ８Ｂに設けた切欠きに挿入してベース部８に固着する直立部分１１Ａ、およびこの直立部分１１Ａに連続してアンテナ支柱から離れる方向に突出する曲折部分１１Ｂを有する左右１対の管状部材１１と、これら１対の管状部材１１における曲折部分１１Ｂの端部相互を連結するよう、前記アンテナ支柱から半径方向外方に離れて水平方向に延在する連結細条１２とにより構成する。曲折部分１１Ｂは、図示の実施例のように、円弧状に形成すると好適である。管状部材１１の直立部分１１Ａは、ベースプレート８Ａに溶接する。
【００１６】
このスカート部９は、管状部材１１および連結細条１２により構成する代わりに、前記ベースプレート８Ａに一体に形成した、もしくは別体にしてベースプレート８Ａに固着し、曲折部分、好適には、円弧状部分を有する一体ピースのプレートとして構成することもできる。また、管状部材１１は、矩形断面形状とすると好適であるが、他の断面形状でもよく、例えば、他の多角形形状、円形形状とすることもできる。
【００１７】
対向ブラケット４は、図示の実施例のように第１ブラケット３と同一構成のものとすることができるが、アンテナ支柱が壁際に設置されている場合には、ベース部８および突耳部１０のみを有するものを使用する。
【００１８】
スカート部９における送受信装置固定手段は、垂直方向に斜行してＺ字状に曲げ出し、Ｚ字の上下の曲折部に丸みを付けたＺ字状片１３と、このＺ字状片に設けた少なくとも１個のボルト挿通孔に挿通して送受信装置６の頂面にねじ付けるボルト手段１４とにより構成する。
【００１９】
Ｚ字の斜行部が存在することにより，Ｚ字状片１３の頂面に送受信装置６の頂面を密着させることができる。斜行部がなく、直角に曲げ出した場合には、送受信装置６頂面にシムをかませないと直立部で送受信装置６の背面を支持することができなくなるが、送受信装置６の頂面にシムをかませることなく、斜行部の下側湾曲コーナー部分で送受信装置６の背面を支持することができる。
【００２０】
本考案によれば、図示の実施例のように、アンテナ支柱２の直径方向に互いに対向する位置に、第１ブラケット３と同一形状の対向ブラケット４とを組み合わせて、１対の送受信装置６、例えば、送受信増幅装置６Ａおよび変復調装置６Ｂを、対称的に懸垂することができる。
【００２１】
また、図示のように送受信装置６を下側に懸垂配置するのではなく、上下逆転させた状態に取り付けることもできる。また、アンテナ支柱２が壁際に設置されている場合、壁際には第１ブラケット３と同一形状の対向ブラケットではなく、スカート部が存在しない対向ブラケットと組み合わせ、送受信増幅装置６Ａおよび変復調装置６Ｂを上下にオフセットして取り付けることもできる。
【産業上の利用可能性】
【００２２】
本考案取付金具は、移動体通信基地局のアンテナ支柱に送受信装置を取り付けるのに利用できる。さらに、移動体通信基地局のアンテナ支柱ではなく、単なるポール（支柱）に取り付け、送受信装置ではなく、他の機器を固定するのにも利用できる。
【図面の簡単な説明】
【００２３】
【図１】本考案による取付金具の好適な実施例を、移動体通信基地局のアンテナ支柱に取り付けた状態であり、アンテナ支柱は、上方部分を切除して示す斜視図である。
【図２】図１の側面図である。
【図３】図１の平面図である。
【符号の説明】
【００２４】
１    取付金具
２    アンテナ支柱
３    第１ブラケット
４    対向ブラケット
５    緊締手段
６    送受信装置
７    送受信装置固定手段
８    ベース部
８Ａ    ベースプレート
８Ｂ    フランジ
９    スカート部
１０    突耳部
１１    管状部材
１１Ａ  直立部分
１１Ｂ  曲折部分
１２    連結細条
１３    Ｚ字状片
１４    ボルト手段
【図１】
0003135374.tif 000003
【図２】
0003135374.tif 000004
【図３】
0003135374.tif 000005